(57)【要約】      （修正有）【課題】ティーライトキャンドルに被せることにより、氷紋模様が浮きでて、気軽に空間演出として楽しむことができ、暮らしにキャンドルを取り入れやすくするキャンドルシェードを提供する。【解決手段】キャンドルシェードは円筒形で、広く市場に出回っているティーライトキャンドルに被せて使うものであり、主にパラフィンを主材料とするロウから出来ている。製造過程で出来る氷紋模様１を特徴とし、全体のデザインも氷に合わせている。無香なので卓上などで空間演出として使える。ティーライトキャンドルの炎は小さく、イベント等で複数個組み合わせて楽しむこともできる。【選択図】図１
0003209046.tif 000002
【実用新案登録請求の範囲】
【請求項１】
主材料をパラフィンとする底面に空洞を設けた円筒形のキャンドルシェードであり、底面空洞にティーライトキャンドルを設置し、ティーライトキャンドルに被せて、使用することを特徴とするキャンドルシェード。
【請求項２】
前記円筒形のキャンドルシェードは氷紋模様を有し、底面空洞にティーライトキャンドルを設置することにより、氷紋模様が浮かび上がることを特徴とする前記請求項１に記載のキャンドルシェード。
【請求項３】
溶けたロウの受け皿の役割をはたす縁が底面に形成されていることを特徴とする前記請求項１又は請求項２に記載のキャンドルシェード。
【請求項４】
前記円筒形のキャンドルシェードの上部をギザギザの破断面にし、キャンドルの灯りが不規則に広がることを特徴とする前記請求項１から３のいずれかに記載のキャンドルシェード。
【考案の詳細な説明】
【技術分野】
【０００１】
デザインを施した空間演出として使うキャンドルシェードである。
【背景技術】
【０００２】
ティーライトキャンドルは広く普及しているにも関わらず、ホルダーに入れたり、皿にのせて使用したりと、使用方法としては限られていた。
【先行技術文献】
【特許文献】
【０００３】
【特許文献１】特開平１１−１６２２５１号公報
【考案の概要】
【考案が解決しようとする課題】
【０００４】
広く市場に出回っているティーライトキャンドルを使い、キャンドルをもっと気軽に使えるようにする。
【課題を解決するための手段】
【０００５】
１．本考案のキャンドルシェードは、主材料をパラフィンとする底面に空洞を設けた円筒形のキャンドルシェードであり、底面空洞にティーライトキャンドルを設置し、ティーライトキャンドルに被せて、使用することを特徴とする。
２．前記円筒形のキャンドルシェードは氷紋模様を有し、底面空洞にティーライトキャンドルを設置することにより、氷紋模様が浮かび上がることを特徴とする。
３．前記円筒形のキャンドルシェードは溶けたロウの受け皿の役割をはたす縁が底面に形成されていることを特徴とする。
４．前記円筒形のキャンドルシェードの上部をギザギザの破断面にし、キャンドルの灯りが不規則に広がることを特徴とする。
【考案の効果】
【０００６】
装飾性のあるキャンドルシェードとなり、家庭でも卓上などでティーライトキャンドルを空間演出として使用できるようになる。また、レストラン等店舗でも店内演出として使用できる。
【図面の簡単な説明】
【０００７】
【図１】本考案の氷紋模様の画像である。
【図２】本考案の側面図である。
【図３】本考案の側断面図である。
【考案を実施するための形態】
【０００８】
キャンドルの心理面へのポジティブな働きかけがあることは広く知られているが、キャンドルを灯すということを暮らしに取り入れている家庭はまだ少ない。キャンドルの特性を知らないと最後まで上手に使い切ることは意外に難しいということも理由のひとつである。そこで、気軽に使える小さいティーライトキャンドル６を灯すことからキャンドルに慣れることを勧めている。
【０００９】
本考案の実施の形態を図１から図３を用いて説明する。
ティーライトキャンドル６とは、直径約３cm 高さ１．５cmと小さいキャンドルでア
ルミカップやポリカーボネイト製カップにロウをいれたものである。炎が小さく安定しているため、扱いが簡単である。1個の燃焼時間が３〜５時間である。カップ内でロウが液
化するため、ロウが漏れることなく最後まで使い切ることが出来る。ティーライトキャンドル６自体はとてもシンプルなデザインであり、不燃性の陶器やガラスの皿３にのせて使うことが多い。そのため、空間演出として使うには華やかさが足りない印象がある。そこで、被せるだけで空間演出効果が得られるキャンドルシェードを考案した。
【００１０】
前記請求項１のキャンドルシェードサイズは直径７．５cmで高さが６〜７cm、底辺部空洞８の直径は約５cmであり、一般的に販売されているティーライトキャンドル６に対応できる。前記請求項１のキャンドルシェードはパラフィンを主材料とするロウから出来ている。円筒状の型にロウを張り付けて成形し仕上げる。特徴とする氷紋模様１はこの製造過程で作られる。貼り付ける際のロウの温度、側面の厚み１０、貼る圧により様々な氷紋模様１を浮かび上がらせることが出来る。
【００１１】
その模様は、氷のかけらや雪景色にも見えノスタルジックであり、側面の厚み10の変化によって模様に奥行きが出る。全く同じ氷紋模様１はなく、すべてが違う模様となる。さらに氷紋模様１が映えるよう、鋸歯状破断面２は上部に破断面のような例えばギザギザの鋸歯状デザインを施し、より氷のイメージを強調している。これによりキャンドルの灯りが不規則に広がる。また氷紋模様１には透明感のある部分４と白い雪のように曇った部分５があり、ティーライトキャンドル６に照らされるあかりに変化を付けている。円筒状なので、上部から炎の揺らぎを覗くことが出来、火と氷という対照的なものが同時に視覚的に楽しめる。臭いがないため、食卓でも使用できる。そのため、レストラン等店舗でもインテリアとしても使用可能である。また前請求項１のキャンドルシェードを使用することにより側面からは直接炎に触れないようカバーの役割も果たす。
【００１２】
前述の通り、前請求項１のキャンドルシェードはパラフィンを主材料としているため、連続使用時間によってキャンドルシェード内の温度が上がり柔らかくなる。そのため側面の薄い部分が変形することがあり、この変化もまたこのキャンドルシェードの楽しみのひとつでもある。また、内側の溶けたロウの滴１１が垂れる場合があり、この溶ける様子も雪解けのように見え、氷紋模様１をさらに際立たせる。その溶けたロウの滴１１・１２を受けるために底面の空洞周りに受け皿となる縁７を施した。
【００１３】
また、ティーライトキャンドル６と縁７の間の空間９を構成し、ティーライトキャンドル６の熱が縁に伝わり溶けてしまわないよう配慮した。
前述のキャンドルシェードのサイズは一例であり、サイズや色にバリエーションを持たせることが出来る。複数個を使用することによりイベントなどにも向いている。
【００１４】
前述のキャンドルシェード内にロウを流し、氷紋模様を活かしたキャンドルとして使うなど応用できる。
【符号の説明】
【００１５】
１  氷紋模様
２  鋸歯状破断面
３  不燃性の皿
４  透明感のある部分
５  白い雪のように曇った部分
６  ティーライトキャンドル
７  縁
８  空洞
９  空間
１０  側面の厚み
１１  溶けたロウの滴
１２  受け皿にのったロウの滴
【図１】
0003209046.tif 000003
【図２】
0003209046.tif 000004
【図３】
0003209046.tif 000005